(57)【要約】【課題】比較的単純な金型構成で、成形不良を生じることなく製造することができ、且つ、ウエルド強度を向上させることができる合成樹脂製プーリを提供する。【解決手段】合成樹脂製プーリ１０は、ウエルド部Ｗの近傍に樹脂溜まり部２３が設けられる成形金型２０を用い、転がり軸受１を成形金型２０内に収容した状態で、成形金型２０内に溶融樹脂を射出して、ウエルド部Ｗが形成された後で樹脂溜まり部２３に溶融樹脂が流入することで製造される。【選択図】図２
2015197172.tif 000002
【特許請求の範囲】
【請求項１】
互いに同心に設けられた内径側円筒部及び外径側円筒部と、
前記内径側円筒部と前記外径側円筒部との間に設けられた環状円板部と、
前記環状円板部の両側面に等間隔で放射状に配置されて前記内径側円筒部と前記外径側円筒部とを連結する複数の補強リブと、
を備え、強化繊維を添加した溶融樹脂を射出成形することによって形成され、前記内径側円筒部が転がり軸受の外輪に固着されることで、前記転がり軸受と一体に成形される合成樹脂製プーリであって、
ウエルド部の近傍に少なくとも１つの樹脂溜まり部が設けられる成形金型を用い、前記転がり軸受を前記成形金型内に収容した状態で、前記成形金型内に前記溶融樹脂を射出して、前記ウエルド部が形成された後で前記樹脂溜まり部に前記溶融樹脂が流入することで製造されることを特徴とする合成樹脂製プーリ。
【請求項２】
前記成形金型は、所定の角度で、円周方向等間隔に配置される複数のゲートを備え、
前記樹脂溜まり部は、前記ウエルド部と円周方向においてオーバーラップせず、且つ、前記樹脂溜まり部と前記ウエルド部との間の角度が前記所定の角度の１／４以下となるように設けられることを特徴とする請求項１に記載の合成樹脂製プーリ。
【請求項３】
前記樹脂溜まり部と前記成形金型のキャビティとの連通部分の断面積は、前記ウエルド部が形成された後で前記樹脂溜まり部に前記溶融樹脂が流入するように設定されることを特徴とする請求項１又は２に記載の合成樹脂製プーリ。
【請求項４】
前記樹脂溜まり部と前記成形金型のキャビティとの連通部分の断面積は、ゲートの断面積よりも小さいことを特徴とする請求項３に記載の合成樹脂製プーリ。
【請求項５】
ゲートが前記外径側円筒部の軸方向一端面に設けられ、且つ、
前記樹脂溜まり部は、前記外径側円筒部の軸方向一端面に形成される前記ウエルド部の近傍に少なくとも１つ設けられることを特徴とする請求項１〜４のいずれか１項に記載の合成樹脂製プーリ。
【請求項６】
ゲートが前記環状円板部の軸方向一側面に設けられ、且つ、
前記樹脂溜まり部は、前記外径側円筒部と前記環状円板部との連接部及びその近傍に形成される前記ウエルド部の近傍に少なくとも１つ設けられることを特徴とする請求項１〜４のいずれか１項に記載の合成樹脂製プーリ。
【発明の詳細な説明】
【技術分野】
【０００１】
本発明は、合成樹脂製プーリに関する。
【背景技術】
【０００２】
従来、自動車エンジンの補機あるいはカムシャフトを駆動するためのベルトあるいはタイミングベルトに所望の張力を付与するためのプーリとしては、軸受一体型合成樹脂製プーリが広く使用されている。合成樹脂製プーリは金属製プーリに比べて軽量化およびコストの低減化を図ることができる。
【０００３】
このような合成樹脂製プーリは、射出成形用金型内の所定位置に軸受を配置し、この軸受の外輪外周部と射出成形用金型との間に形成されるキャビティに、１つないし複数のゲートから熱可塑性樹脂、もしくは熱可塑性樹脂に強化繊維を配合した樹脂組成物の溶融物を注入し、冷却固化させる射出成形法により製造される。
【０００４】
しかしながら、射出成形法では、ゲートから注入された溶融物が金型のキャビティ内で合流し、この部分にウエルド部が生じる。このウエルド部は、溶融物が融着一体化しただけであるため、溶融物の均一な混合が起こらず、他の部位よりも強度が低くなる。特に、強化繊維を配合した樹脂組成物を用いた場合は、ウエルド部において強化繊維が流動方向に対し垂直に配向するため、補強効果が発現しない。さらに、他の部位では強化繊維が流動方向に対し平行に配向しているため、ウエルド部の強度は他の部位と比較して大きく低下する。このため、従来、以下に示すような合成樹脂製プーリの製造方法が考案されている（例えば、特許文献１〜６参照。）。
【０００５】
特許文献１に記載の合成樹脂製プーリには、内外円筒部の隣接するリブの内端部間および外端部間と対向する位置にゲートを交互に配置することにより、ゲートから充填された溶融樹脂が低温化しない状態で合流し、合成樹脂製プーリの各部の強度を均一化するという技術が示されている。
【０００６】
また、特許文献２に記載の樹脂プーリ付き軸受には、内径円筒部の片端面の、補強リブとの隣接部と、この補強リブに順次隣り合う２本の補強リブの間に、それぞれ形成した一対のゲートを周方向に順次配置することにより、補強リブ部分にウエルドを生じさせ、クラック発生を抑制するという技術が示されている。
【０００７】
さらに、特許文献３に記載の樹脂プーリ付き軸受には、片端面にゲートが配置された内径円筒部の径方向肉厚を円板部の軸方向肉厚より大きくすることにより、溶融樹脂が素早く充填され、ウエルド部の接合強度低下を抑制するという技術が示されている。
【０００８】
また、特許文献４に記載の合成樹脂製プーリには、外径円筒部と内径円筒部を連結する環状円板部に円周等配にゲートを設け、各ゲート位置を含んで外径側の少なくとも背面側に樹脂溜まり部を設けることにより、ゲートから注入された溶融樹脂が同心円状に外径円筒部側へ拡がり、外径円筒部におけるウエルド形成を回避するという技術が示されている。
【０００９】
さらに、特許文献５に記載の樹脂プーリの射出成形方法では、樹脂プーリに埋設されたインサート金具の外周部にリングゲートを有し、かつこのリングゲートを遮断するためのゲートカットスリーブを有する金型を用いて射出成形することによって、ウエルドが形成されない樹脂プーリを製造するものである。
【００１０】
また、特許文献６に記載の樹脂部品の成形方法は、外部から溶融樹脂が送入されるメインスプールと、メインスプールから放射状に分岐してキャビティ内に溶融樹脂を圧送する複数のメインゲートと、メインゲートから分岐してキャビティ内に溶融樹脂を圧送するサブゲートとで構成される樹脂流路を有する成形装置で樹脂プーリを成形することで、溶融樹脂の合流部を乱してウエルド強度向上を図るものである。
【先行技術文献】
【特許文献】
【００１１】
【特許文献１】特許第３５０６７３５号公報
【特許文献２】特許第４１８６２０５号公報
【特許文献３】特許第４２６９５３０号公報
【特許文献４】特許第３７３０７０４号公報
【特許文献５】特開２００６−２６４２０８号公報
【特許文献６】特開２００２−２９２６７８号公報
【発明の概要】
【発明が解決しようとする課題】
【００１２】
しかしながら、特許文献１〜３に記載の方法は、一旦形成されたウエルド部に溶融樹脂の流動を起こすものではないため、溶融樹脂の均一な混合が起こりにくく、使用条件によっては強度が不十分になるという課題がある。また、特許文献４に記載の構成では、内径円筒部にウエルドが形成され、使用条件によっては強度が不十分になるという課題がある。
【００１３】
さらに、特許文献５に記載の樹脂プーリの射出成形方法によれば、上記の問題を解決する一方、金型にゲートカットスリーブを設けたことで、金型構造が複雑になり、製造コストがかかるという課題がある。
また、特許文献６に記載の成形方法では、溶融樹脂がメインスプールを通ってメインゲートに到達する時間と、サブゲートに到達する時間に差があるため、最初に到達したゲート部において一時的に流動停止状態となるヘジテーションが生じ、ショートショットなどの成形不良になりやすいという課題がある。
【００１４】
本発明は、前述した課題に鑑みてなされたものであり、その目的は、比較的単純な金型構成で、成形不良を生じることなく製造することができ、且つ、ウエルド強度を向上させることができる合成樹脂製プーリを提供することにある。
【課題を解決するための手段】
【００１５】
本発明の上記目的は、下記の構成により達成される。
（１）  互いに同心に設けられた内径側円筒部及び外径側円筒部と、
前記内径側円筒部と前記外径側円筒部との間に設けられた環状円板部と、
前記環状円板部の両側面に等間隔で放射状に配置されて前記内径側円筒部と前記外径側円筒部とを連結する複数の補強リブと、
を備え、強化繊維を添加した溶融樹脂を射出成形することによって形成され、前記内径側円筒部が転がり軸受の外輪に固着されることで、前記転がり軸受と一体に成形される合成樹脂製プーリであって、
ウエルド部の近傍に少なくとも１つの樹脂溜まり部が設けられる成形金型を用い、前記転がり軸受を前記成形金型内に収容した状態で、前記成形金型内に前記溶融樹脂を射出して、前記ウエルド部が形成された後で前記樹脂溜まり部に前記溶融樹脂が流入することで製造されることを特徴とする合成樹脂製プーリ。
（２）  前記成形金型は、所定の角度で、円周方向等間隔に配置される複数のゲートを備え、
前記樹脂溜まり部は、前記ウエルド部と円周方向においてオーバーラップせず、且つ、前記樹脂溜まり部と前記ウエルド部との間の角度が前記所定の角度の１／４以下となるように設けられることを特徴とする（１）に記載の合成樹脂製プーリ。
（３）  前記樹脂溜まり部と前記成形金型のキャビティとの連通部分の断面積は、前記ウエルド部が形成された後で前記樹脂溜まり部に前記溶融樹脂が流入するように設定されることを特徴とする（１）又は（２）に記載の合成樹脂製プーリ。
（４）  前記樹脂溜まり部と前記成形金型のキャビティとの連通部分の断面積は、ゲートの断面積よりも小さいことを特徴とする（３）に記載の合成樹脂製プーリ。
（５）  ゲートが前記外径側円筒部の軸方向一端面に設けられ、且つ、
前記樹脂溜まり部は、前記外径側円筒部の軸方向一端面に形成される前記ウエルド部の近傍に少なくとも１つ設けられることを特徴とする（１）〜（４）のいずれかに記載の合成樹脂製プーリ。
（６）  ゲートが前記環状円板部の軸方向一側面に設けられ、且つ、
前記樹脂溜まり部は、前記外径側円筒部と前記環状円板部との連接部及びその近傍に形成される前記ウエルド部の近傍に少なくとも１つ設けられることを特徴とする（１）〜（４）のいずれかに記載の合成樹脂製プーリ。
【発明の効果】
【００１６】
本発明の合成樹脂製プーリによれば、ウエルド部の近傍に少なくとも１つの樹脂溜まり部が設けられる成形金型を用い、転がり軸受を成形金型内に収容した状態で、成形金型内に溶融樹脂を射出して、ウエルド部が形成された後で樹脂溜まり部に溶融樹脂が流入することで製造される。これにより、合成樹脂製プーリは、比較的単純な金型構成で、成形不良を生じることなく製造することができ、且つ、ウエルド強度を向上させることができる。
【図面の簡単な説明】
【００１７】
【図１】本発明の第１実施形態に係る合成樹脂製プーリの断面図である。
【図２】図１の合成樹脂製プーリを、成形金型のゲート及び樹脂溜まり部と共に示す斜視図である。
【図３】図１の合成樹脂製プーリを、成形金型のゲート及び樹脂溜まり部と共に示す正面図である。
【図４】合成樹脂製プーリを射出成形する際の成形金型の断面図である。
【図５】本発明の第２実施形態に係る合成樹脂製プーリを、成形金型のゲート及び樹脂溜まり部と共に示す斜視図である。
【図６】図５の合成樹脂製プーリを、成形金型のゲート及び樹脂溜まり部と共に示す正面図である。
【発明を実施するための形態】
【００１８】
以下、本発明の各実施形態に係る合成樹脂製プーリについて、図面に基づいて詳細に説明する。
【００１９】
（第１実施形態）
図１は、第１実施形態に係る転がり軸受と一体に成形された合成樹脂製プーリを示す断面図である。合成樹脂製プーリ１０は、互いに同心に設けられた内径側円筒部１１及び外径側円筒部１２と、内径側円筒部１１と外径側円筒部１２との間に設けられた環状円板部１３と、環状円板部１３の両側面に等間隔で放射状に配置されて内径側円筒部１１と外径側円筒部１２とを連結する複数の補強リブ１４と、を備える。
【００２０】
一方、合成樹脂製プーリ１０と一体に成形される転がり軸受１は、外周面に内輪軌道２ａを有する内輪２と、内周面に外輪軌道３ａを有する外輪３と、内輪軌道２ａと外輪軌道３ａの間に転動自在に設けられた複数個の転動体（玉）４と、玉４を円周方向に所定の間隔で保持する保持器５と、を有する。
【００２１】
合成樹脂製プーリ１０は、後述する成形金型２０内に転がり軸受１を収容した状態で、成形金型２０内に強化繊維を添加した溶融樹脂を射出成形することによって形成され、これにより、内径側円筒部１１が転がり軸受１の外輪３に固着されることで、転がり軸受１と一体に成形される。
【００２２】
溶融樹脂としては、例えば、ポリアミド６６やポリアミド４６、ポリフェニレンサルファイド（ＰＰＳ）樹脂、ポリイミド樹脂、ポリエーテルエーテルケトン（ＰＥＥＫ）樹脂等に、補強のための強化繊維（例えば、ガラス繊維や炭素繊維、チタン酸カリウムウィスカー）を添加した樹脂組成物が用いられる。また、樹脂組成物には、成形時及び使用時の熱劣化を抑えるために、ヨウ化物系熱安定剤及び／又はアミン系熱安定剤を添加してもよい。さらに、樹脂組成物には、耐衝撃性を改善するために、エチレンプロビレン非共役ジエン（ＥＰＤＭ）等のゴム材料を配合してもよい。
【００２３】
図２〜図４に示すように、合成樹脂製プーリ１０を製造する成形金型２０では、複数のゲート２１が外径側円筒部１２の軸方向一端面で、補強リブ１４が連結される位置と、隣接する補強リブ１４が連結される２つの位置の中間位置とに、所定の角度αの間隔で交互に設けられている。なお、本実施形態では、この所定の角度αは、隣接する補強リブ１４が形成される間隔の約１．５倍となる。
また、成形金型２０では、外径側円筒部１２の周囲で、隣接するゲート２１間に、キャビティ２２と連通する複数の樹脂溜まり部２３がそれぞれ設けられている。
【００２４】
そして、本実施形態では、複数のゲート２１から溶融樹脂を流入すると、転がり軸受１と成形金型２０によって画成されるキャビティ２２内に溶融樹脂が充填され、合成樹脂製プーリ１０が製造される。その際、隣接するゲート２１間で、外径側円筒部１２の軸方向一端面から軸方向中間部に亘って、隣接するゲート２１からの溶融樹脂が合流する複数のウエルド部Ｗがそれぞれ生じる。
【００２５】
このため、各樹脂溜まり部２３は、各ウエルド部Ｗの近傍、つまり、射出成形した際に各ゲート２１からの溶融樹脂が合流すると想定されるキャビティ部分の近傍にそれぞれ設けられる。具体的には、ウエルド部Ｗと樹脂溜まり部２３は円周方向にオーバーラップはせず、ウエルド部Ｗと樹脂溜まり部２３間の角度βは、各ゲート２１間の角度αの１／４以下となるように設けられる。
【００２６】
これは、ウエルド部Ｗと樹脂溜まり部２３が円周方向にオーバーラップしていると、ウエルド部形成時にウエルド部Ｗで流動方向に対し垂直に配向した強化繊維は、ウエルド部形成後に樹脂溜まり部２３に溶融樹脂が流入しても、配向の乱され方が少なくウエルド部Ｗの強度向上が少ないからである。
【００２７】
一方、樹脂だまり部２３を、ウエルド部Ｗと円周方向にオーバーラップせず、上記角度βの範囲に設定することで、ウエルド部形成後に樹脂溜まり部２３に溶融樹脂が流入すると、ウエルド部形成時にウエルド部Ｗで流動方向に対し垂直に配向した強化繊維は、配向の乱され方が良好となり、ウエルド部Ｗの強度向上を大きくすることができる。この結果、ウエルド部Ｗでの強化繊維は、溶融樹脂が充填されていく方向に沿って繊維の長手方向が揃う傾向となり、ウエルド部Ｗ以外の部分と同様の強化繊維の配向に近づく。
【００２８】
また、樹脂溜まり部２３と成形金型２０のキャビティ２２との連通部分２３ａの断面積は、ウエルド部Ｗが形成された後で樹脂溜まり部２３に溶融樹脂が流入するように設定される。具体的には、連通部分２３ａの断面積をゲート２１の断面積より小さく設定することで、ウエルド部Ｗが形成された後に樹脂溜まり部２３に溶融樹脂が流入するようにできる。
【００２９】
このようにして合成樹脂製プーリ１０が射出成形されると、ウエルド部Ｗが形成された後、さらに樹脂溜まり部２３に溶融樹脂が流入することで、ウエルド部Ｗにおける強化繊維の配向が乱されてばらつき、ウエルド部Ｗの強度を向上することができる。
【００３０】
以上説明したように、本実施形態の合成樹脂製プーリ１０によれば、ウエルド部Ｗの近傍に樹脂溜まり部２３が設けられる成形金型２０を用い、転がり軸受１を成形金型２０内に収容した状態で、成形金型２０内に溶融樹脂を射出して、ウエルド部Ｗが形成された後で樹脂溜まり部２３に溶融樹脂が流入することで、該プーリ１０が製造される。これにより、ウエルド部Ｗにおいて強化繊維の配向が乱されてウエルド強度を向上することができる。また、成形金型にゲートカットスリーブを有しないため、金型構造が単純になり、製造コストを抑制することができる。さらに、メインゲートからサブゲートを分岐させる必要がないため、ヘジテーションを生じることがなく、ショートショットのような成形不良を抑制することができる。
【００３１】
なお、成形金型は、本実施形態のようなキャビティを画成し、ゲート、及び樹脂溜まり部の位置を規定するものであれば、本実施形態のものに限定されるものでなく、任意に構成することができる。
また、樹脂溜まり部２３は、各ウエルド部Ｗの近傍に１つずつ設けられているが、複数設けられてもよい。
【００３２】
（第２実施形態）
次に、本発明の第２実施形態に係る合成樹脂製プーリ、及び合成樹脂製プーリの製造方法について、図面に基づいて詳細に説明する。なお、第１実施形態と同一又は同等部分については、同一符号を付して説明を省略或いは簡略化する。
【００３３】
本実施形態は、合成樹脂製プーリの製造方法において第１実施形態と異なり、製造される合成樹脂製プーリ自体は、第１実施形態と同様である。図５及び図６に示すように、本実施形態の成形金型２０では、複数のゲート２１が環状円板部１３の軸方向一側面で、隣接する補強リブ１４の間に１つおきに、所定の角度αで設けられている。
また、キャビティ２２と連通する複数の樹脂溜まり部２３が、外径側円筒部１２の周囲で、隣接するゲート２１間、即ち、ゲート２１が設けられていない隣接する補強リブ１４間にそれぞれ設けられている。
【００３４】
本実施形態の場合、複数のゲート２１から溶融樹脂を流入すると、隣接するゲート２１間、即ち、ゲート２１が設けられていない隣接する補強リブ１４間で、外径側円筒部１２と環状円板部１３との連接部及びその近傍に、複数のウエルド部Ｗが生じる。
【００３５】
このため、本実施形態においても、各樹脂溜まり部２３は、各ウエルド部Ｗの近傍にそれぞれ設けられている。具体的には、ウエルド部Ｗと樹脂溜まり部２３は円周方向にオーバーラップはせず、ウエルド部Ｗと樹脂溜まり部２３間の角度βは、各ゲート２１間の角度αの１／４以下となるように設けられる。
【００３６】
また、第１実施形態と同様に、樹脂溜まり部２３と成形金型２０のキャビティ２２との連通部分２３ａの断面積は、ウエルド部Ｗが形成された後で樹脂溜まり部２３に溶融樹脂が流入するように設定される。具体的には、連通部分２３ａの断面積をゲート２１の断面積より小さく設定することで、ウエルド部Ｗが形成された後に樹脂溜まり部２３に溶融樹脂が流入するようにできる。
【００３７】
このようにして合成樹脂製プーリが射出成形されると、ウエルド部Ｗが形成された後、さらに樹脂溜まり部２３に溶融樹脂が流入することで、ウエルド部Ｗにおける強化繊維の配向が乱されて、ウエルド部Ｗの強度を向上することができる。
その他の構成及び作用については、第１実施形態のものと同様である。
【００３８】
尚、本発明は、前述した実施形態及び変形例に限定されるものではなく、適宜、変形、改良、等が可能である。
【符号の説明】
【００３９】
１  転がり軸受
２  内輪
３  外輪
４  玉（転動体）
５  保持器
１０  合成樹脂製プーリ
１１  内径側円筒部
１２  外径側円筒部
１３  環状円板部
１４  補強リブ
２０  成形金型
２１  ゲート
２３  樹脂溜まり部
Ｗ  ウエルド部
【図１】
2015197172.tif 000003
【図２】
2015197172.tif 000004
【図３】
2015197172.tif 000005
【図４】
2015197172.tif 000006
【図５】
2015197172.tif 000007
【図６】
2015197172.tif 000008